(57)【要約】【課題】電気的特性を向上させることができる水晶素子および水晶デバイスを提供することを目的とする。【解決手段】平面視して、略矩形となっている水晶片１２１と、水晶片１２１の両主面に設けられている励振電極部１２３と、励振電極部１２３から水晶片１２１の一方の短辺ｔ１まで延設されている接続引出部１２４と、水晶片１２１の他方の短辺ｔ２の両端部に設けられている凸部１２５と、を有し、平面視して、一方の短辺ｔ１の長さが他方の短辺ｔ２の長さよりも短くなっている。【選択図】図４
2020120351.tif 000002
【特許請求の範囲】
【請求項１】
平面視して、略矩形となっている水晶片と、
前記水晶片の両主面に設けられている励振電極部と、
前記励振電極部から前記水晶片の一方の短辺まで延設されている接続引出部と、
前記水晶片の他方の短辺の両端部に設けられている凸部と、
を有し、
平面視して、前記一方の短辺の長さが前記他方の短辺の長さよりも短くなっている
ことを特徴とする水晶素子。
【請求項２】
請求項１に記載の水晶素子であって、
前記水晶片の長辺上には前記水晶片の短辺に平行な前記水晶片の長さが変化する変曲点があり、
前記変曲点と前記水晶片の一方の短辺との、前記水晶片の長辺に平行な向きの長さが、前記水晶片の長さの５％以上２０％以下の長さとなっている
ことを特徴とする水晶素子。
【請求項３】
請求項１または請求項２に記載の水晶素子であって、
前記水晶片の他方の短辺を含む側面を側面視したとき、
前記水晶片の他方の短辺を含む側面に凹部が形成されている
ことを特徴とする水晶素子。
【請求項４】
請求項１乃至請求項３に記載の水晶素子と、
前記水晶素子の前記接続引出部の一部が電気的に接続される搭載パッドが上面に設けられている基板部を主体とする基体と、
前記基体と接合され前記水晶素子を気密封止している蓋体と、
前記接続引出部の一部と前記搭載パッドとを電気的に接続している導電部材と、
を有している水晶デバイス。
【請求項５】
請求項４に記載の水晶デバイスであって、
前記基体に前記水晶素子を実装したとき、前記導電部材が前記変曲点と接している
ことを特徴とする水晶デバイス。
【発明の詳細な説明】
【技術分野】
【０００１】
本発明は、水晶素子および当該水晶素子を用いた水晶デバイスに関する。
【背景技術】
【０００２】
水晶素子は、一対の励振電極および一対の接続引出部からなる金属パターンが形成されている水晶片を有している。このような水晶片は、平面視して、直線となっている四辺からなる矩形形状となっている（例えば、特許文献１参照）。
【先行技術文献】
【特許文献】
【０００３】
【特許文献１】特開２０１７−８５３８５号公報
【発明の概要】
【発明が解決しようとする課題】
【０００４】
水晶素子は、接続電極部および接続引出部からなる金属パターンに交番電圧を印加したとき、励振電極部に挟まれている部分において主振動である厚みすべり振動が生じるが、同時に、副次的な振動である輪郭振動が生じる。また、主振動である厚みすべり振動が、励振電極部で挟まれている部分から漏れ伝搬し、水晶片の端部において反射した振動が生じる。このように、副次的な振動である輪郭振動や励振電極部から漏れ伝搬し水晶片の端部において反射した振動をスプリアス振動という。前述した水晶素子は、平面視して矩形形状の水晶片を用いているため、水晶片の外形寸法に依存する輪郭振動および漏れ伝搬し水晶片の端部において反射した振動が、主振動である厚みすべり振動に与える影響が大きくなり、電気的特性が低下する虞がある。
【０００５】
本発明は、上記課題を解決するために鑑みてなされており、電気的特性を向上させることができる水晶素子および水晶デバイスを提供することを目的とする。
【課題を解決するための手段】
【０００６】
平面視して、略矩形となっている水晶片と、水晶片の両主面に設けられている励振電極部と、励振電極部から水晶片の一方の短辺まで延設されている接続引出部と、水晶片の他方の短辺の両端部に設けられている凸部と、を有し、平面視して、一方の短辺の長さが他方の短辺の長さよりも短くなっていることを特徴とする。
【発明の効果】
【０００７】
上記の構成によれば、電気的特性が向上された水晶素子および水晶デバイスを得ることができる。
【図面の簡単な説明】
【０００８】
【図１】本実施形態に係る水晶デバイスの一例である水晶振動子の斜視図である。
【図２】図１のＡ−Ａ断面における断面図である。
【図３】本実施形態に係る水晶素子で用いる水晶片の上面を平面視した平面図である。
【図４】（ａ）は、本実施形態に係る水晶素子の上面の平面図であり、（ｂ）は、本実施形態に係る水晶素子の下面を上面から平面透視した平面図である。
【図５】本実施形態に係る水晶素子の斜視図である。
【図６】本実施形態に係る水晶素子の他方の短辺を含む側面を平面視した平面図である。
【図７】本実施形態に係る水晶素子の一方の短辺を含む側面を平面視した平面図である。
【図８】本実施形態に係る水晶素子が基体に実装されている状態を示した状態図である。
【発明を実施するための形態】
【０００９】
以下、本発明の実施形態について、図面を参照にして説明する。なお、以下の説明で用いられる図は模式的なものであり、図面上の寸法比率等は現実のものとは必ずしも一致しない。
【００１０】
（水晶デバイスの概略説明）
図１および図２は、本発明の実施形態における水晶デバイスの一例である水晶振動子に関する図面である。図３〜図７は、本発明の実施形態における水晶素子に関する図面である。図８は、本実施形態に係る水晶素子を基体に実装している状態を示す状態図である。
【００１１】
水晶振動子は、例えば、全体として、概略、薄型の直方体形状とされる電子部品であり、その寸法は適宜設定されてよい。例えば、長辺または短辺の長さが０．６ｍｍ〜７．５ｍｍであり、厚さが０．２ｍｍ〜１．２ｍｍとなっている。比較的小さいものは、長辺または短辺の長さが０．６ｍｍ〜３．２ｍｍであり、厚さが０．２ｍｍ〜０．８ｍｍである。
【００１２】
水晶振動子は、例えば、凹部が形成されている基体１１０と、凹部内に収容されている水晶素子１２０と、凹部を塞ぐ蓋体１３０と、を有している。凹部は、蓋体１３０により封止され、その内部は、例えば、真空とされ、または、適当なガス（例えば窒素）が封入されている。
【００１３】
基体１１０は、基体１１０の主体となる基板部１１０ａと、水晶素子１２０を実装するための搭載パッド１１１と、水晶振動子を不図示の回路基板等に実装するための外部端子１１２と、を有している。基板部１１０ａは、搭載パッド１１１と所定の二つの外部端子１１２とを電気的に接続するための、導体（図示せず）を有している。図示しない導体は、基体１１０の表面または／内部に設けられている。基体１１０は、例えば、基体１１０に凹部を形成するための、枠状の枠部１１０ｂを有している。また、枠部１１０ｂは、基板部１１０ａの上面の縁部に沿って設けられている。基体１１０を構成している基板部１１０ａおよび枠部１１０ｂは、セラミック等の絶縁材料からなり、搭載パッド１１１および外部端子１１２は、例えば、金属等からなる導電層により構成されている。
【００１４】
蓋体１３０は、例えば、金属から構成され、基体１１０の上面にシーム溶接等により接合されている。
【００１５】
水晶素子１２０は、水晶片１２１と、水晶片１２１に設けられている一対の金属パターン１２２を有している。
【００１６】
水晶片１２１は、いわゆるＡＴカット水晶片である。すなわち、水晶において、Ｘ軸（電気軸）、Ｙ軸（機械軸）およびＺ軸（光軸）からなる直交座標系ＸＹＺを、Ｘ軸の回りに、例えば、３０°〜４５°（一例として３５°１５′）回転させて直交座標系ＸＹ´Ｚ´を定義したとき、ＸＺ´平面に平行に切り出された板状と同じカットアングルである。従って、水晶片１２１は、ＸＺ´平面に平行な一対の主面を有している。
【００１７】
水晶素子１２０は、水晶片１２１と、水晶片１２１に設けられている一対の金属パターン１２２を有している。金属パターン１２２は、水晶片１２１に電圧を印加する一対の励
振電極部１２３、および、水晶素子１２０を搭載パッド１１１に実装するための一対の接続引出部１２４から構成されている。
【００１８】
励振電極部１２３は、一対となっており、例えば、水晶片１２１の両主面の中央側に（すなわち水晶片１２１の両主面の外縁から離れて）設けられている。
【００１９】
一対の接続引出部１２４は、接続部１２４ａと引出部１２４ｂとから構成されている。接続部１２４ａは、例えば、水晶片１２１の一方の短辺の縁部に沿って二つ並んで設けられている。引出部１２４ｂは、励振電極部１２３と接続部１２４ａとを電気的に接続するためのものであり、一端が励振電極部１２３に接続され、他端が接続部１２４ａに接続されている。引出部１２４ｂは、例えば、水晶片１２１の長辺と平行となるように設けられている。なお、引出部１２４ｂは、励振電極部１２３と接続部１２４ａとを電気的に接続することができれば、励振電極部１２３から水晶片１２１の長辺に向かって延設され水晶片１２１の長辺の縁部に沿って接続部１２４ａまで延設されていてもよい。
【００２０】
水晶素子１２０は、水晶片１２１の主面を基体１１０の基板部１１０ａの上面に対向させて、例えば、基体１１０の凹部内に収容される。接続引出部１２４の接続部１２４ａは導電部材１４０により基体１１０の搭載パッド１１１に接合される。これにより、水晶素子１２０は、基体１１０の基板部１１０ａに片持ち梁のように支持される。このとき、接続引出部１２４の接続部１２４ａと基体１１０の搭載パッド１１１とは電気的に接続された状態となる。従って、一対の励振電極部１２３は、接続引出部１２４、導電部材１４０、搭載パッド１１１と電気的に接続され、ひいては、複数の外部端子１１４のいずれか二つと電気的に接続される。導電部材１４０は、例えば、導電性接着材からなる。
【００２１】
水晶振動子は、例えば、不図示の回路基板の実装面に基体１１０の下面を対向させて配置され、外部端子１１２が半田などにより回路基板のパッド上に接合されることによって回路基板に実装される。回路基板には、例えば、発振回路が構成されている。発振回路は、外部端子１１２および搭載パッド１１１を介して一対の励振電極部１２３に交番電圧を印加して発振信号を生成する。この際、発振回路は、例えば、水晶片１２１の厚みすべり振動のうち基本波振動を利用する。
【００２２】
（水晶素子の概略説明）
図３は、本実施形態に係る水晶素子で用いる水晶片の平面図である。図４は、本実施形態に係る水晶素子の平面図であり、図５は、本実施形態に係る水晶素子の斜視図である。図６は、本実施形態に係る水晶素子の他方の短辺を含む側面の側面図であり、図７は、本実施形態に係る水晶素子の一方の短辺を含む側面の側面図である。図８は、本実施形態に係る水晶素子を基体に実装したときの状態を示す状態図である。水晶素子１２０は、図４および図５に示したように、水晶片１２１と金属パターン１２２とから構成されている。
【００２３】
（水晶片の詳細説明）
水晶片１２１は、図３（ａ）および図３（ｂ）に示したように、概略、長手方向をＸ軸方向とする長方形となっている。水晶片１２１は、Ｘ軸方向において互いに対向する（Ｘ軸に対して垂直となる向きに平行となっている）一対の短辺ｔ１、ｔ２を有している。また、水晶片１２１は、一対の短辺ｔ１、ｔ２の両端同士をつなぐ（一対の短辺の間に亘って延びる）一対の長辺を有している。なお、用語「辺」は、厳密には直線であるが、本実施形態では便宜上直線以外であってもよいものとする。
【００２４】
一対の短辺ｔ１、ｔ２のうち一方の短辺ｔ１は、水晶片１２１を平面視して、水晶の結晶軸である＋Ｘ軸側に位置している短辺であり、他方の短辺ｔ２は水晶の結晶軸である−Ｘ軸側に位置している短辺である。
【００２５】
ここで、一方の短辺ｔ１のＸ軸に垂直な向きの長さを第一距離ｄｔ１とし、他方の短辺ｔ２のＸ軸に垂直な向きの長さを第二距離ｄｔ２とする。なお、第二距離ｄｔ２は、他方の短辺ｔ２の一端が一方の長辺と交差している点から他方の短辺ｔ２の他端が他方の長辺と交差している点までの距離のことをいう。
【００２６】
水晶片１２１は、第一距離ｄｔ１が第二距離ｄｔ２より短くなっている。言い換えると、一方の短辺ｔ１の（Ｘ軸に垂直な向きの）長さが、他方の短辺ｔ２の（Ｘ軸に垂直な向きの）長さよりも短くなっている。
【００２７】
水晶片１２１は、平面視して、水晶片１２１の長辺上に水晶片１２１の短辺ｔ１、ｔ２に平行な向き（Ｘ軸に垂直な向き）の水晶片１２１の長さが変化する変曲点Ｐを有している。このとき、水晶片１２１の一方の短辺ｔ１と変曲点Ｐとの水晶片１２１の長辺に平行な向きの（Ｘ軸に平行な向きの）長さが、水晶片１２１の長さの５％以上２０％以下となっている。
【００２８】
ここで、水晶片１２１の一方の短辺ｔ１と変曲点Ｐとの水晶片１２１の長辺に平行な向きの（Ｘ軸に平行な向きの）長さを、変曲点距離ｄｐとする。また、水晶片１２１の長辺の長さ（水晶片１２１の一方の短辺ｔ１と水晶片１２１の他方の短辺ｔ２とのＸ軸に平行な長さ）を水晶片１２１の長さｄｌとする。
【００２９】
従って、変曲点距離ｄｐと水晶片１２１の長さｄｌとは次の関係が成り立っている。
０．０５×ｄｌ≦ｄｐ≦０．２０×ｄｌ
【００３０】
水晶片１２１は、他方の短辺ｔ２の両端部に凸部１２５が設けられている。別の観点では、水晶片１２１を平面視して、水晶片１２１の両端部から−Ｘ軸方向に凸部が突出している状態となっている。
【００３１】
凸部１２５が設けられている水晶片１２１の他方の短辺ｔ２を含む水晶片１２１の側面を平面視したとき、図６に示すように、凹部Ｋ（Ｋ１、Ｋ２、Ｋ３）が形成されている。
【００３２】
凹部Ｋは、例えば、第一凹部Ｋ１、第二凹部Ｋ２および第三凹部Ｋ３から構成されている。第一凹部Ｋ１は、図６のように、水晶片１２１の下面に連なるように、水晶片１２１の短辺ｔ２の一端側に設けられている。第二凹部Ｋ２は、図６のように、水晶片１２１の下面に連なるように、水晶片１２１の短辺ｔ２の他端側に設けられている。第三凹部Ｋ３は、図６のように、水晶片１２１の他方の短辺ｔ２の中点を通過しつつ水晶片１２１の上面および下面に連なるように設けられている。
【００３３】
水晶片１２１の各種寸法は、適宜に設定されてよい。例えば、水晶片１２１の長さｄｌ（Ｘ軸方向）は０．４ｍｍ〜７．２ｍｍとなっており、水晶片１２１の他方の短辺ｔ２の長さｄｔ２は０．３ｍｍ〜５．０ｍｍとなっている。
【００３４】
（金属パターンの詳細説明）
図４（ａ）は、本実施形態に係る水晶素子１２０の上面を平面視したときの平面図であり、図４（ｂ）は、本実施形態に係る水晶素子１２０の下面を上面から平面透視したときの平面図である。図５は、本実施形態に係る水晶素子１２０の斜視図である。
【００３５】
接続引出部１２４は、前述したように接続部１２４ａと引出部１２４ｂとから構成されている。
【００３６】
接続部１２４ａは、水晶片１２１の一方の短辺ｔ１の両端部であって、水晶片１２１の上面、下面および側面に跨って設けられている。このとき、水晶片１２１の上面に設けられている接続部１２４ａの長さｄｕ（水晶素子１２０の上面を平面視したときの水晶片１２１の一方の短辺ｔ１から水晶片１２１の他方の短辺ｔ２側を向く接続部１２４ａの辺までのＸ軸に平行な長さ）が、水晶片１２１の下面に設けられている接続部１２４ａの長さｄｄ（水晶素子１２０の下面を平面視したときの水晶片１２１の一方の短辺ｔ１から水晶片１２１の他方の短辺ｔ２側を向く接続部１２４ａの辺までのＸ軸に平行な長さ）よりも短くなっている。
【００３７】
また、接続部１２４ａは、図４（ａ）および図４（ｂ）に示すように、水晶片１２１の長辺上に位置している変曲点Ｐ上と重なるように設けられている。従って、水晶素子１２０を基体１１０に導電部材１４０を用いて実装したとき、図７に示したように、導電部材１４０が変曲点Ｐと接するようになっている。
【００３８】
また、接続部１２４ａは、図８に示すように、水晶片１２１の一方の短辺ｔ１を含む側面を平面視したとき、水晶片１２１の一方の短辺ｔ１の両端に跨るように設けられている。
【００３９】
（水晶素子で生じる振動について）
水晶素子１２０の励振電極部１２３に交番電圧を印加すると、一対の励振電極部１２３に挟まれている部分において基本波の厚みすべり振動が生じる。この一対の励振電極部１２３に挟まれている部分で生じる基本波の厚みすべり振動を主振動とする。
【００４０】
このとき、平面視して励振電極部１２３から水晶片１２１の外縁に向かう向きに、主振動が漏れ伝搬している。この励振電極部１２３から水晶片１２１の外縁に向かう向きに生じる振動を漏れ振動とする。漏れ振動が水晶片１２１の外縁にまで到達すると、漏れ振動が水晶片１２１の側面において反射され、水晶片１２１の外縁から励振電極部１２３に向かう向きに振動が生じる。この水晶片１２１の側面で反射された振動を反射振動とする。
【００４１】
また、水晶素子１２０の励振電極部１２３に交番電圧を印加したとき、主振動だけでなく、副次的な振動である輪郭振動が生じる。輪郭振動は、水晶片１２１の長さ（Ｘ軸に平行な長さおよびＺ´軸に平行な長さ）に依存している。
【００４２】
前述しているように、本実施形態に係る水晶デバイスは、水晶片１２１で生じる基本波の厚みすべり振動（主振動）を利用している。従って、水晶素子１２０および水晶デバイスにおいては、励振電極部１２３に交番電圧を印加したとき、主振動が他の振動である反射振動および輪郭振動の影響を受けた状態の主振動が利用されているといえる。
【００４３】
以上のとおり、本実施形態に係る水晶素子１２０は、平面視して、略矩形となっている水晶片１２１と、水晶片１２１の両主面に設けられている励振電極部１２３と、励振電極部１２３から水晶片１２１の一方の短辺ｔ１まで延設されている接続引出部１２４と、水晶片１２１の他方の短辺ｔ２の両端部に設けられている凸部１２５と、を有し、平面視して、水晶片１２１の一方の短辺ｔ１の長さ（第一距離ｄｔ１）が水晶片１２１の他方の短辺ｔ２の長さ（第二距離ｄｔ２）よりも短くなっている。
【００４４】
このように、水晶片１２１の一方の短辺ｔ１の長さ（第一距離ｄｔ１）を水晶片１２１の他方の短辺ｔ２の長さ（第二距離ｄｔ２）より短くすることで、水晶片１２１の長さに依存している輪郭振動の周波数を分散させることが可能となる。この結果、主振動と輪郭振動とが結合し、水晶素子１２０の電気的特性が低下することを低減させることができる。
【００４５】
また、水晶片１２１の短辺ｔ２の両端部に凸部１２５を設けることで、水晶片１２１の長さに依存している輪郭振動の周波数を分散させることが可能となる。また、このようにすることで、励振電極部１２３の縁部から水晶片１２１の他方の短辺ｔ２側の水晶片１２１の長辺の端部と、励振電極部１２３との外縁と、の距離を従来と比較して長くすることができる。このため、水晶片１２１の他方の短辺ｔ２側の水晶片１２１の長辺の端部で生じた反射振動が主振動に与える影響を低減させることができ、水晶素子１２０の電気的特性が低下することを低減させることが可能となる。
【００４６】
従って、このような構成にすることで、副次的な振動である輪郭振動および水晶片１２１の外縁における反射振動が主振動に与える影響を低減させることが可能となり、水晶素子１２０の電気的特性が低下することを低減させることができる。
【００４７】
また、本実施形態に係る水晶素子１２０は、平面視して、水晶片１２１の長辺上に、水晶片１２１の短辺に平行な水晶片１２１の長さが変化する変曲点Ｐがあり、変曲点Ｐと水晶片１２１の一方の短辺ｔ１との、水晶片１２１の長辺に平行な向き（Ｘ軸に平行な向き）の長さ、変曲点長さｄｐが、水晶片１２１の長さｄｌの長さの５％以上２０％以下となっている。
【００４８】
変曲点長さｄｐが水晶片１２１の長さｄｌの５％より短い場合、接続部１２４ａが並んで設けられている水晶片１２１の一方の短辺ｔ１の縁部において、副次的な振動である輪郭振動の周波数を分散させることが困難となり、水晶素子１２０の電気的特性が低下してしまう場合がある。変曲点長さｄｐが水晶片１２１の長さｄｌの２０％より長い場合、水晶素子１２０を平面視して、励振電極部１２３と変曲点距離Ｐとの距離が近くなってしまい、水晶片１２１の一方の短辺ｔ１の端部と変曲点Ｐとを含んでいる水晶片１２１の長辺の一部において、反射振動が主振動へ影響を与え、水晶素子１２０の電気的特性が低下してしまう虞がある。
【００４９】
従って、このように水晶片１２１の長辺上に変曲点Ｐを設けつつ、変曲点Ｐの位置を限定することで、副次的な振動である輪郭振動および反射振動が主振動に与える影響を低減させることができ、この結果、水晶素子１２０の電気的特性が低下することを低減させることが可能となる。
【００５０】
また、本実施形態に係る水晶素子１２０は、水晶片１２１の他方の短辺ｔ２を含んだ側面を断面視したとき、水晶片１２１の他方の短辺ｔ２を含む側面に、凹部Ｋが形成されている。
【００５１】
このように、水晶片１２１の他方の短辺ｔ２を含む側面に、凹部Ｋを形成することで、水晶片１２１の他方の短辺ｔ２における長さを部分的に変化させることができる。このため、水晶片１２１の他方の短辺ｔ２付近で生じる副次的な輪郭振動の周波数を分散させることができ、水晶素子１２０の電気的特性が低下することを低減させることが可能となる。
【００５２】
特に、凸部１２５にも第一凹部１２５ａおよび第二凹部１２５ｂを形成することにより、漏れ振動および反射振動を分散させることができ、反射振動が主振動へ与える影響を低減させることが可能となる。この結果、水晶素子１２０の電気的特性が低下することを低減させることができる。
【００５３】
また、本実施形態に係る水晶デバイスは、前述したような水晶素子１２０と、水晶素子１２０の接続引出部１２４の一部が電気的に接続さらえる搭載パッドが上面に設けられて
いる基板部１１０ａを主体とする基体１１０と、基体１１０と接合され水晶素子１２０を気密封止する蓋体１３０と、接続引出部１２４の一部と搭載パッド１１１とを電気的に接続している導電部材１４０と、を有している。
【００５４】
このように電気的特性が低下することを低減することができる水晶素子１２０を水晶デバイスに用いることで、水晶デバイスの電気的特性を向上させることができる。
【００５５】
また、本実施形態に係る水晶デバイスは、基体１１０に水晶素子１２０を実装したとき、導電部材１４０が変曲点Ｐと接している。
【００５６】
このようにすることで、導電部材１４０が水晶素子１２０と基体１１０とを電気的に接続しつつ接着するときに、導電部材１４０が水晶素子１２０を引く力を分散させることが可能となり、導電部材１４０による主振動への影響を低減させることができる。この結果、水晶デバイスの電気的特性を向上させることが可能となる。
【００５７】
本発明は、上述した実施形態に限定されず、種々の態様であってよい。
【００５８】
水晶デバイスは、水晶振動子に限定されない。例えば、水晶デバイスは、水晶振動子となる部分と発振回路となる部分を備えた発振器であってもよい。また、水晶振動子は、水晶素子の他に、サーミスタ、ダイオードまたはトランジスタなどの他の電子部品を備えていてもよい。
【００５９】
水晶素子は、平板状でなく、中央部が肉厚となっているメサ型となっていてもよい。
【００６０】
励振電極は、略矩形形状でなく、円形または楕円形状となっていてもよい。
【００６１】
接続引出部は、Ｘ軸方向に沿って直線状に延設されていなくてもよく、例えば、水晶片の長辺側へ延設した後水晶片の短辺に沿って延設されていてもよい。
【符号の説明】
【００６２】
１１０・・・基体
１１０ａ・・・基板部
１１０ｂ・・・枠部
１１１・・・搭載パッド
１１２・・・外部端子
１２０・・・水晶素子
１２１・・・水晶片
１２２・・・金属パターン
１２３・・・励振電極部
１２４・・・接続引出部
１２４ａ・・・接続部
１２４ｂ・・・引出部
１２５・・・凸部
１３０・・・蓋体
１４０・・・導電部材
Ｋ・・・凹部
Ｋ１・・・第一凹部
Ｋ２・・・第二凹部
Ｋ３・・・第三凹部
ｔ１・・・水晶片の一方の短辺
ｔ２・・・水晶片の他方の短辺
Ｐ・・・変曲点
ｄｔ１・・・第一距離（水晶片の一方の短辺の長さ）
ｄｔ２・・・第二距離（水晶片の他方の短辺の長さ）
ｄｐ・・・変曲点距離（水晶片の一方の短辺から変曲点までのＸ軸に平行な長さ）
ｄｌ・・・水晶片の長さ（水晶片の一方の短辺と水晶片の他方の短辺とＸ軸に平行な長さ）
ｄu・・・水晶片の上面に設けられている接続部のX軸に平行な長さ
ｄｄ・・・水晶片の下面に設けられている接続部のX軸に平行な長さ
【図１】
2020120351.tif 000003
【図２】
2020120351.tif 000004
【図３】
2020120351.tif 000005
【図４】
2020120351.tif 000006
【図５】
2020120351.tif 000007
【図６】
2020120351.tif 000008
【図７】
2020120351.tif 000009
【図８】
2020120351.tif 000010